(57)【要約】【課題】処理能力を高めることができる火災報知設備を得る。【解決手段】中継器２０は、感知器からのパルス波形信号を受信しながら感知器の状態監視に関する処理を行う際、上記パルス波形信号についての立下りエッジを検出した場合は、この立下りエッジを検出してから次のパルス波形信号についての立上りエッジを検出するまでの間、受信機との信号伝送に関する処理を実行する（ステップ１０１〜１１０）。【選択図】        図１０
2004303038.tif 000002
【特許請求の範囲】
【請求項１】
受信装置と、この受信装置が制御コマンドを用いて監視する感知器とを備え、
前記感知器が、前記制御コマンドに基づいて、前記感知器の状態をあらわすパルス波形信号を前記受信装置に送信し、前記受信装置が、前記感知器からのパルス波形信号を受信している間、前記パルス波形信号に基づいて、前記感知器の状態監視に関する処理を実行する火災報知設備において、
前記受信装置は、
前記パルス波形信号を受信しているときに、前記パルス波形信号についてのエッジを検出した場合は、前記エッジを検出してから次のエッジを検出するまでの間は、前記状態監視に関する処理とは異なる処理を実行する
ことを特徴とする火災報知設備。
【請求項２】
前記受信装置が、火災受信機と接続された中継器の場合、前記状態監視に関する処理とは異なる処理は、前記火災受信機との信号伝送に関する処理である
ことを特徴とする請求項１記載の火災報知設備。
【請求項３】
前記制御コマンドは、パルス幅に応じてその制御内容が定められ、前記感知器は、前記パルス幅に応じた制御内容に基づくパルス波形信号を前記受信装置へ返送する
ことを特徴とする請求項１記載の火災報知設備。
【請求項４】
前記感知器は自動試験機能付感知器であり、前記パルス波形信号は、自己の感知器の正常又は異常をあらわす信号である
ことを特徴とする請求項１から３までのいずれかに記載の火災報知設備。
【発明の詳細な説明】
【０００１】
【発明の属する技術分野】
この発明は、火災受信機と、この火災受信機が監視する感知器等の監視対象機器と、火災受信機および監視対象機器との間でそれぞれ所定の信号を中継する中継器とを備えた火災報知設備に関する。
【０００２】
【従来の技術】
従来の装置においては、終端コンデンサと、遮断手段と、放電手段と、電圧検出手段と、断線判別手段とを備えることにより、火災感知器を接続する一対の電源兼信号線の電圧に応じて断線を判別している（例えば、特許文献１参照）。
【０００３】
【特許文献１】
特開平８−２４９５６０号公報（第１頁、図１）
【０００４】
【発明が解決しようとする課題】
従来の装置では、電源兼信号線の電圧を複数回検出し、この検出の結果に応じて断線を判別していたが、電圧を検出するために電源兼信号線を監視している間は、断線の判別処理以外の他の処理を実行することができず、処理能力が低下するという問題があった。このことは、火災受信機や中継器等の監視装置が、感知器等の監視対象機器を監視する場合においても同様である。
【０００５】
この発明は、上述のような課題を解決するためになされたもので、その目的は、処理能力を高めることができる火災報知設備を得るものである。
【０００６】
【課題を解決するための手段】
この発明に係る火災報知設備においては、受信装置と、この受信装置が制御コマンドを用いて監視する感知器とを備える。そして、感知器が、制御コマンドに基づいて、感知器の状態をあらわすパルス波形信号を受信装置に送信し、受信装置が、感知器からのパルス波形信号を受信している間、パルス波形信号に基づいて、感知器の状態監視に関する処理を実行する。しかも、受信装置は、上記パルス波形信号を受信しているときに、上記パルス波形信号についてのエッジを検出した場合は、エッジを検出してから次のエッジを検出するまでの間は、上記状態監視に関する処理とは異なる処理を実行する。
【０００７】
【発明の実施の形態】
実施の形態１．
この発明の実施の形態１に係る火災報知設備について図面を参照しながら説明する。図１は、この発明の実施の形態１に係る火災報知設備の構成を示す図である。また、図２は、この発明の実施の形態１に係る火災報知設備の中継器と感知器の接続例を示す図である。図３は、この発明の実施の形態１に係る火災報知設備の中継器の詳細構成を示す図である。なお、各図中、同一符号は同一又は相当部分を示す。
【０００８】
この実施の形態１に係る火災報知設備について概略する。火災受信機や中継器のような受信部（受信装置）と、火災感知器や被制御機器のような監視制御機器とを備え、受信部および複数の監視制御機器が、伝送線を介し、伝送コードを用いた監視制御に関する動作をそれぞれ行う。なお、以下では、中継器による受信部を例にして説明するが、火災受信機の場合も同様である。
【０００９】
図１において、火災受信機１０から、伝送端末である複数の端末機器としての複数の試験機能付き中継器２０に対して、伝送線Ｌ１１が配線されている。この伝送線Ｌ１１には、図示しないが、火災感知器や火災発信機等が、その他の端末機器の機種として接続されていて、個々に個別のアドレスが付与されている。そして、火災受信機１０が個別に端末機器を認識して信号伝送できるようになっている。伝送線Ｌ１１は、２本の電線Ｓ＋、Ｓ−が各端末機器に対して送り配線されて並列に接続されている。他方、電線Ｓ＋、Ｓ−とは別に火災受信機１０から電源線Ｐ１が各中継器２０に配線されている。この電源線Ｐ１は、各中継器２０に接続される各種機器（図１に図示せず）を作動させるための電源を供給しているものであり、上記各種機器は、信号線Ｌ２１を介して中継器２０に接続される。この各種機器（監視対象機器）としては、火災感知器といった監視用機器、地区ベルや防排煙機器といった被制御機器が該当する。ここでは、信号線Ｌ２１を感知器回線とし、中継器２０が、この感知器回線Ｌ２１を介して、一般型感知器と自動試験機能付感知器（ＡＴＦ感知器）とそれぞれ混在可能に接続される。なお、電源線Ｐ１についても２本の電線ＰＦＣ、ＰＦが送り配線となって、各中継器２０と並列に接続されている。
【００１０】
具体的に説明する。図１および図２において、火災報知設備は、火災受信機１０と、この火災受信機１０に伝送線Ｓ＋およびＳ−（以下「伝送線Ｌ１１」と総称する。）を通じて接続された複数の中継器２０と、この各中継器２０に感知器回線Ｌ２１を通じて接続された複数の感知器３０とから構成されている。また、この火災受信機１０は、電源線ＰＦＣおよびＰＦ（以下「電源線Ｐ１」と総称する。）を通じて各中継器２０と接続されている。この電源線Ｐ１は、例えば２４Ｖの電源を供給するためのものであり、この電源線Ｐ１を通じて、中継器２０および感知器３０がそれぞれ電源の供給を受ける。
【００１１】
火災受信機１０は、火災報知設備の全体の管理を行うものであり、ＣＰＵ等の制御部と、タッチパネル等の表示操作部と、メモリー等の記憶部と、送受信部とを備えている。
【００１２】
感知器３０は、例えば、一般型感知器（オンオフ型）と自動試験機能付感知器（以降、ＡＴＦ感知器と略称する。）が混在して接続されている。ＡＴＦ感知器は、試験情報収集のための伝送信号の送受信を行う。なお、ＡＴＦ感知器からの火災信号は、一般型感知器と同じようにオンオフ信号であり、中継器２０で受信される。つまり、ＡＴＦ感知器からの火災信号は、伝送信号ではなく、いわゆるスイッチング動作を行い、感知器回線Ｌ２１を低インピーダンス状態とする。
【００１３】
中継器２０は、火災受信機１０および感知器３０とそれぞれ信号伝送を行うものである。図２では、中継器２０の接続部ＴＢ２に、各回線Ｌ１、Ｌ２、Ｌ３、Ｌ４ごとに感知器３０が接続されている。これら各感知器３０は、それぞれ終端抵抗４０が接続されている。この終端抵抗４０は、例えば、抵抗が１０ｋΩである。なお、外部配線抵抗は５０Ωで、感知器の最大設置数は一例として３０個である。中継器２０のアドレスは、ロータリスイッチ（図示せず）により設定される。
【００１４】
図３において、中継器２０は、伝送用定電圧回路２１、受信回路２２、送信回路２３、およびフォトカプラ２４を有する。また、この中継器２０は、ＣＰＵ（制御部）２５、制御用定電圧回路２６、監視回路２７、出力回路２８、および検出回路２９を有する。なお、Ｓは感知器３０を示す。
【００１５】
伝送用定電圧回路２１は、受信回路２２および送信回路２３に電源を供給する。この伝送用定電圧回路２１は、伝送線Ｌ１１と接続され、例えば５Ｖの電源を出力する。
【００１６】
受信回路２２は、伝送線Ｌ１１上のパルスを受信する。送信回路２３は、伝送線Ｌ１１上にパルスを送信する。これにより、送受信回路（伝送用回路部）２２、２３は、火災受信機１０と伝送線Ｌ１１を介して信号を送受信する。
【００１７】
フォトカプラ２４ａは、受信回路２２とＣＰＵ２５との間に接続され、フォトカプラ２４ｂは、送信回路２３とＣＰＵ２５との間に接続されている。これにより、感知器３０の各回線毎にフォトカプラが設けられていた従来の場合に比べ、フォトカプラの設置数を低減することができる。
【００１８】
ＣＰＵ２５は、中継器２０内各部を監視制御して火災受信機１０および感知器３０とそれぞれ別個に信号伝送を行う。
【００１９】
制御用定電圧回路２６は、伝送線Ｌ１１とは異なる電源線Ｐ１を介して火災受信機１０と接続され、かつ、ＣＰＵ２５に電源を供給する。また、この制御用定電圧回路２６は、検出回路２９にも電源を供給する。この電源電圧は、例えば３Ｖである。つまり、制御用定電圧回路２６は、火災受信機１０から電源線Ｐ１を介して供給される電源電圧を降圧（例えば、２４Ｖから３Ｖに降圧）する。
【００２０】
監視回路２７は、電源線Ｐ１を介した電源供給の状態を監視する。この監視は、電源線Ｐ１を介した電源供給（例えば、２４Ｖ供給）の電圧レベルの監視である。監視回路２７は、例えば、この電圧レベルが一定値以下の場合は、異常と判断する。この一定値は、予め設定しておくことができる。ＣＰＵ２５は、監視回路２７が監視した電圧レベルが一定値以下の場合は、その旨（例えば、異常信号）を火災受信機１０に出力する。これにより、中継器２０に接続された感知器３０が正常に動作する環境を管理することができる。
【００２１】
出力回路２８は、感知器回線Ｌ２１を介して感知器３０へ伝送パルスを出力する。また、検出回路２９は、感知器３０から感知器回線Ｌ２１を介して火災信号を受信した場合にそのスイッチング動作を検出するとともに、感知器３０からの伝送パルスを検出する。この伝送パルスは、「ハイ」又は「ロー」のレベルを交互に繰り返す信号であり、火災信号は、「ロー」のレベルが継続する信号である。ＣＰＵ２５は、伝送パルス又は火災信号のいずれかを判断する。
【００２２】
このように、中継器２０は、送受信回路２２、２３に電源を供給する伝送用定電圧回路２１と、伝送線Ｌ１１とは異なる電源線Ｐ１を介して火災受信機１０と接続され、かつ、ＣＰＵ２５に電源を供給する制御用定電圧回路２６とを備える。従って、ＡＴＦ感知器を火災報知設備に設置しても、その伝送能力に支障が生じない。
【００２３】
つぎに、この実施の形態１に係る火災報知設備の動作について図面を参照しながら説明する。
【００２４】
図４は、この発明の実施の形態１に係る火災報知設備の中継器と火災受信機との間のポーリングの一例を示すタイムチャートである。
【００２５】
伝送線Ｌ１１は、火災受信機１０と、複数の端末機器の一つとしての中継器２０とを接続する。中継器２０を含めた各端末機器には、個々に個別のアドレスが付与されている。この中継器２０には、図２に示すように、感知器回線Ｌ２１を介して複数のＡＴＦ感知器３０が接続されている。
【００２６】
この伝送線Ｌ１１上で信号伝送する場合、所定数の端末機器を一つのグループとして複数のグループを設定し、火災受信機１０が所定のグループを指定し、指定されたグループに属している端末機器が個別に応答するポイントポーリングを実行し、この指定されたグループに属する各端末機器が、自己のアドレスに応じてタイミングを測り、個別に連続的に応答する。
【００２７】
このポイントポーリングを全てのグループに実行することによって、伝送線Ｌ１１上の全ての端末機器からそれぞれの状態を示す情報を収集し、監視状態では、上記動作を１サイクルとして情報収集を繰り返す。
【００２８】
ここで、上記各端末機器には、２桁の１６進数で定められた伝送線Ｌ１１上のアドレスが端末機器ごとに付与されている。すなわち、各端末機器には、「００ｈ」、「０１ｈ」などのアドレスが付与され、互いに異なる固有のアドレスとして上記アドレスが１個ずつ与えられている。アドレスが付与されている端末機器は、複数のグループ、例えば１５個のグループに分けられる。この各グループには、例えば１６台の各種端末機器がそれぞれ属している。
【００２９】
このように、複数の端末機器のそれぞれに、複数の桁数で表示されるアドレスを付与し、このアドレス中の特定の桁を用いてグループ番号を表している。このため、「ポイントポーリング」の「グループ情報収集フレーム」においては、グループ番号が共通する複数の端末機器をポーリングと同時に呼出すことができる。また、呼出されたグル一プ番号を有する複数の端末機器のそれぞれは、グループ内での各端末機器のアドレスが異なるのを利用して、各端末機器毎に応答タイミングが異なるように割り当てられている。
【００３０】
火災受信機１０は、伝送線Ｌ１１上の各端末機器に対して、後述のポイントポーリング、セレクティング、システムポーリングの各モードを用いたポーリングを行い、所定の端末機器から情報を収集したり、所定の端末機器を制御する。
【００３１】
図５は、ポイントポーリングを示すタイムチャートであり、ここでは、「グループ情報収集フレーム」と「発信機検出フレーム」とで構成されている。
【００３２】
「グループ情報収集フレーム」は、各端末機器を一つ一つ順次ポーリングする（呼出して応答させる）のではなく、伝送線Ｌ１１上の各端末機器を例えば１５個のグループにグループ化しておき、その各グループ毎に、火災受信機１０が呼出すフレームである。呼出されたグループに属する各端末機器は、各端末機器毎に割り当てられた応答タイミング時に、状態情報または種別情報ＩＤ等の要求されたデータを順次、火災受信機１０に返送する。
【００３３】
つまり、この動作では、中継器２０等の複数の端末機器が火災受信機１０に接続されている火災報知設備において、複数の端末機器が複数のグループに分けられ、火災受信機１０がグループ毎にボーリングを行い、複数のグループのうちの所定のグループヘのポーリング信号発信と、その次のグループヘのポ一リング信号発信との間に、上記所定グループに属する複数の端末機器からの情報を、時分割方式で火災受信機１０が受信する。これによれば、１つのグループに属する端末機器が多数ある場合に、火災を検出した端末機器を迅速に検出することができる。
【００３４】
ここで、「状態情報」とは、端末機器が火災感知器である場合は、検出された火災現象の物理量データまたは火災信号である。他方、端末機器が各種中継器である場合は、オンオフ式火災感知器やガス漏れ検知器が接続されているときに、火災信号やガス漏れ信号の有無を示すデータが「状態情報」に該当する。また、端末機器が各種中継器である場合、防火戸や地区ベル等の被制御機器が接続されているときに、これらの機器の開閉状態や動作中か否かを示すデータ、あるいは鳴動中か否かを示すデータが「状態情報」に該当する。その他、端末機器が、自動試験機能を備えた火災感知器の場合、異常状態を示す異常信号も「状態情報」に該当する。
【００３５】
また、ポイントポーリングを構成する「発信機検出フレーム」は、図示しない発信機が人為的に操作されることにより用いられるものである。この発信機の作動情報は、信頼性が高いことから、速やかに作動情報を収集するために設けられたフレームに設定される。
【００３６】
図６は、セレクティングを示すタイムチャートである。「セレクティング」は、所望の端末機器に対応するアドレスを指定して所定の制御命令を送信した後に当該端末機器を制御したり、また、状態情報等の要求命令を所望の端末機器に送信した後に、個々の端末機器から状態情報を収集するための動作を意味する。
【００３７】
なお、図示しないが、「システムポーリング」は、火災受信機１０が端末機器に対して所定の制御命令を送信し、全ての端末機器を制御するためのものである。ここで、システムポーリングによる制御命令は、例えば、火災復旧命令（火災信号を出力した火災感知器や中継器等の端末機器を正常な監視状態に復旧させる命令）、地区音響停止命令（鳴動中の地区ベルを停止させる命令）等である。
【００３８】
図７は、図１の火災受信機１０の動作を示すシステムフローチャートである。
【００３９】
まず、火災報知システムの電源を投入することによって立上げが行われた後、初期設定を行い（ステップＳ１）、次に、火災受信機１０に作業員がセレクティング命令を入力したか否かを判別し（ステップＳ２）、次に、入力されていない場合には、システムポーリング命令を入力したか否かを判別し（ステップＳ３）、上記システムポーリング命令が入力されていない場合には、ポイントポーリングを行い（ステップＳ４）、ステップＳ２に戻る。すなわち、図４の伝送が１サイクルになるように、上記動作（ステップＳ２〜Ｓ４）を繰り返す。
【００４０】
図８は、この発明の実施の形態１に係る中継器とＡＴＦ感知器との信号伝送の一例を示す波形図である。
【００４１】
図８において、「親」は図１における中継器２０を指し、「子」は図２における感知器３０のうちのＡＴＦ感知器を指す。中継器２０が、感知器回線Ｌ２１上に、一般型感知器と混在して設けられる複数のＡＴＦ感知器のデータを収集する。具体的には、この中継器２０は、起動パルス、基準パルス、コマンドＣＭ１を送出する。なお、ＡＴＦ感知器は、個別のアドレスが付与されているので、中継器２０が、そのアドレスに基づいてＡＴＦ感知器をグループ化し、各グループに対して、ここでは、１５アドレス単位で、起動パルスや、基準パルス、コマンドＣＭ１を送出する。
【００４２】
起動パルスは、ＡＴＦ感知器に伝送開始を認識させるためのパルスであり、中継器２０は、パルス幅２ｍｓのロー（Ｌｏ）パルスを送出する。ＡＴＦ感知器の図示しないマイコンは、火災検出動作等の必要な動作後はスリープモードに入るための制御をおこなうためのものである。この起動パルスの受信によって、スタートしてから安定するまでの時間が必要となる。
【００４３】
基準パルスは、伝送上のパルス間隔の基本長となるパルスであり、立下りエッヂ間隔（ハイ（Ｈｉ）からロー（Ｌｏ）への変化タイミングと、次のハイ（Ｈｉ）からロー（Ｌｏ）への変化タイミングの間）は４ｍｓとする。
【００４４】
コマンドＣＭ１は、ＡＴＦ感知器への制御コマンドであり、８ビット（「ｂ７」〜「ｂ０」）のコードを４つのパルス間隔で示し、各パルスそれぞれについてその間隔を判断してコードに置き換える。
【００４５】
ここでは、１つの立下りエッヂ間隔で２ビットのコードを示す。エッヂ間隔が、例えば、４ｍｓの場合は「００ｂ」で、６ｍｓの場合は「０１ｂ」で、８ｍｓの場合は「１０ｂ」で、１０ｍｓの場合は「１１ｂ」である。これらの組み合わせによって、アドレス１〜１５のデータを収集するポーリング１、アドレス１６〜３０のデータを収集するポーリング２のコマンドＣＭ１を形成する。また、詳細に示さないが、ＡＴＦ感知器を指定する制御コマンドとしてのセレクティング、ＡＴＦ感知器をスリープモードとするスリープ開始コマンド等を利用することができる。そして、ＡＴＦ感知器は、コマンドＣＭ１を解析して伝送内容を認識する。
【００４６】
ここで、図８に示した「スロット０〜１４」は、ＡＴＦ感知器から中継器２０へ送信するタイミングを定めるためのものである。ポーリング１または２、および自己のアドレスに基づきスロット位置（図９（ａ）参照）が設定される。ＡＴＦ感知器は、設定されたスロットに、正常または異常を表すコードを示すパルス（図９（ｂ）参照）を送信する。すなわち、各ＡＴＦ感知器において、試験機能が正常であればパルス幅２ｍｓ、又は、それが異常であればパルス幅４ｍｓのいずれか１つのパルスが返送される。
【００４７】
このような信号伝送を用い、中継器２０は、制御コマンドＣＭ１内に、ポーリング１または２の制御内容を含めて送信することにより、感知器回線Ｌ２１に接続されたＡＴＦ感知器の正常または異常の情報を個別に収集することができる。また、それと同時に、中継器２０は、各スロット内のパルスの有無に基づいて、ＡＴＦ感知器の無応答を判別する。
【００４８】
なお、この例では、１つの感知器回線Ｌ２１にアドレス指定できるＡＴＦ感知器は３０個までとした。ただし、スロットの数や、ポーリングの数によって任意に設定することができる。
【００４９】
また、感知器３０による火災信号については、中継器２０が、ＡＴＦ感知器であっても火災信号を従来の中継器と同様に、スイッチング動作によって一般型感知器を含めて検出する。また、この中継器２０が、ＡＴＦ感知器から、感知器回線Ｌ２１を通じた信号伝送によって、自動試験結果およびＡＴＦ感知器の有無を収集できる。これにより、異常または無応答を指示したＡＴＦ感知器を中継器２０が認識することができる。
【００５０】
従って、中継器２０が受信する感知器回線Ｌ２１上の火災感知器３０の情報は、火災の検出時には検出と同時にスイッチング動作によって火災信号が中継器２０に送出される。他方、自己の機能異常の検出時には、火災検出時に比較して急を要しないので、安定した確実な信号伝送を行ってよいことになる。
【００５１】
図１０は、図３の中継器２０の動作を示すシステムフローチャートである。ステップ１０１において、ＣＰＵ２５は、ＡＴＦ感知器に制御コマンドＣＭ１を送信するタイミングかどうかを判断する。次に、ステップ１０２において、ＡＴＦ感知器に送信するタイミングの場合、ＣＰＵ２５により、制御コマンドＣＭ１をＡＴＦ感知器に送信する。
【００５２】
次に、ステップ１０３において、ＣＰＵ２５により、制御コマンドＣＭ１に基づくパルス波形信号（図１１（ａ）参照）についての立下り（「↓」）エッジ検出の設定および許可をおこなう。ここでの設定および許可は、例えば、フラグを用いる。なお、このパルス波形信号は、図９（ｂ）に示したパルスと同じである。つまり、このパルス波形信号は、ＡＴＦ感知器の試験機能が正常であればパルス幅２ｍｓのパルスである。他方、それが異常であればパルス幅４ｍｓのパルスである。
【００５３】
次に、ステップ１０４において、ＣＰＵ２５により、パルス波形信号の立下り「↓」エッジ検出およびその許可があるかどうかを判断する。次に、ステップ１０５において、検出回路２９が、ＡＴＦ感知器から、制御コマンドＣＭ１に基づくパルス波形信号を受信しているときに、パルス波形信号についての立下りエッジを検出した場合は、この検出回路２９は、ＣＰＵ２５にその旨のコード（例えば、割込コード）を出力する。そして、ＣＰＵ２５が、検出回路２５からのコードを受信するとともに、パルス波形信号についての立下り「↓」エッジ検出の許可を確認した場合は、次のステップ１０５に進む。
【００５４】
ステップ１０５において、ＣＰＵ２５により、パルス波形信号についてパルス幅の時間の計測を開始する。この計測は、例えば、カウンタやタイマーを用いる。次に、ステップ１０６において、ＣＰＵ２５により、パルス波形信号の立上り「↑」エッジ検出の設定および許可をおこなう。
【００５５】
次に、ステップ１０７において、ＣＰＵ２５により、火災受信機１０との間で信号伝送に関する処理を行う。つまり、ＣＰＵ２５は、「パルス幅の時間の計測」以外の処理を行い、対受信機の処理には限らず、詳細に説明しない入出力処理とか、表示処理のような自己のための動作であってもよい。
【００５６】
中継器２０は、ステップ１０１、１０４、１０８、１０７の順に処理を行う。中継器２０は、立下りエッジを検出してから次の立上りエッジを検出するまでの間は、上記各処理（ステップ１０１、１０４、１０８、１０７）を繰り返す。
【００５７】
そして、ステップ１０１、１０４の処理に進み、ステップ１０８において、ＣＰＵ２５により、パルス波形信号の立上り「↑」エッジ検出およびその許可があるかどうかを判断する。
【００５８】
ステップ１０９において、検出回路２９が、ＡＴＦ感知器３０から、パルス波形信号についての立上りエッジを検出した場合は、この検出回路２９は、ＣＰＵ２５にその旨のコード（例えば、割込コード）を出力する。そして、ＣＰＵ２５が、検出回路２９からのコード（例えば、割込コード）を受信するとともに、パルス波形信号についての立上り「↑」エッジ検出の許可を確認した場合は、次のステップ１０９に進む。
【００５９】
ステップ１０９において、ＣＰＵ２５により、パルス幅についての時間の計測を終了する。この終了により、ＣＰＵ２５は、例えば、計測したカウンタ値を保存して、そのカウンタ値をリセットする。
【００６０】
次に、ステップ１１０において、ＣＰＵ２５により、パルス幅の計測時間に基づいて、感知器３０の状態（異常又は正常）を判断する。ＣＰＵ２５は、パルス幅の計測時間が２ｍｓの場合は正常と判断し、それが４ｍｓの場合は異常と判断する。その後、ステップ１０７の処理に進む。
【００６１】
図１１は、図３の中継器２０の検出回路２９およびＣＰＵ２５の動作を示すタイミングチャートである。図１１（ａ）には、検出回路２９が検出したパルス波形信号を示し、図１１（ｂ）には、ＣＰＵ２５の状態を示している。ＣＰＵ２５は、検出回路２９がパルス波形信号の立下りおよび立上りエッジを検出した場合は、アクティブ（Ａｃｔｉｖｅ）状態になり、それ以外の場合は、アイドル（Ｉｄｏｌ）状態になっている。例えば、パルス波形信号の立下りから立上りまでのエッジ間隔は、２ｍｓ又は４ｍｓである（図９（ｂ）参照）。また、アクティブ（Ａｃｔｉｖｅ）状態のパルス幅は、例えば、数百マイクロ秒である。
【００６２】
このように、ＣＰＵ２５は、パルス波形信号を受信しているときに、そのパルス波形信号についての立下りを検出した場合は、立下りを検出してから次の立上りを検出するまでの間、感知器の状態監視に関する処理（例えば、パルス幅時間の計測、感知器の状態の判断）とは異なる処理を実行することが可能となる。
なお、上記のような中継器２０の場合、火災受信機１０からの呼出しとＡＴＦ感知器と、伝送のためのエッジ検出動作等が全く重複する場合には、火災受信機１０への応答が優先される。これは、火災受信機１０側の伝送は、火災信号が送受信されるので、その遅延につながる動作を防止するためで、ＡＴＦ感知器側の伝送が自動試験情報の収集にかかるものだけで、ＡＴＦ感知器の火災信号は、スイッチング動作に基づき、伝送とは無関係に検出できる。
【００６３】
以上説明したように、火災受信機１０や中継器２０の受信装置は、ある監視制御機器から、パルス波形を受信するときに、パルス波形の始点（例えば、パルスの立下り）を検出し、その始点から定められる終点（例えば、パルスの立上り）部分のみで波形を監視し、始点から終点部分までの期間において別の処理動作を行うことが可能となる。これにより、火災報知設備の処理能力を向上することができる。例えば、試験機能付き中継器２０において、信号伝送を行うためのパルスコードの「ハイ」又は「ロー」のレベルを監視するときに、その両端部分（パルスの立下りおよび立上り）だけを監視することによって、その中間（パルスの立下りから立上りまでの間）において別の処理（状態監視以外の処理）をすることができる。
【００６４】
また、この受信装置が中継器２０であって、伝送線Ｌ１１を介して火災受信機１０との間で幹線伝送を行いながら、感知器回線（信号線）Ｌ２１を介して監視制御機器との間で枝の伝送を行う。これにより、中継器２０が、例えば感知器３０の監視を行いながら、火災受信機１０との間で伝送することができる。
【００６５】
さらに、パルス波形が示す伝送コード（例えば、制御コマンドＣＭ１）がパルス幅によって決められているので、その制御内容に応じた監視を行うことができる。
【００６６】
またさらに、監視制御機器がＡＴＦ感知器を含む感知器３０であって、ＡＴＦ感知器３０は、火災信号をスイッチング動作で送出するとともに、試験機能に基づく異常信号を受信装置との信号伝送によって送出する。これにより、受信装置は、ＡＴＦ感知器３０の動作状態の監視を行うことができる。
【００６７】
【発明の効果】
この発明は以上説明したように、受信装置は、制御コマンドに基づくパルス波形信号を受信するとき、所定の監視制御処理を行いながら、この監視制御処理とは異なる処理を実行することができるので、火災報知設備の処理能力を向上することができる。
【図面の簡単な説明】
【図１】この発明の実施の形態１に係る火災報知設備の構成を示す図である。
【図２】この発明の実施の形態１に係る火災報知設備の中継器と感知器の接続例を示す図である。
【図３】この発明の実施の形態１に係る火災報知設備の中継器の詳細構成を示す図である。
【図４】この発明の実施の形態１に係る火災報知設備の中継器と火災受信機との間のポーリングの一例を示すタイムチャートである。
【図５】この発明の実施の形態１に係る火災報知設備の中継器と火災受信機とのポイントポーリングを示すタイムチャートである。
【図６】この発明の実施の形態１に係る火災報知設備の中継器と火災受信機とのセレクティングを示すタイムチャートである。
【図７】この発明の実施の形態１に係る火災報知設備の火災受信機の動作を示すフローチャートである。
【図８】この発明の実施の形態１に係る火災報知設備の中継器とＡＴＦ感知器との信号伝送の一例を示す波形図である。
【図９】この発明の実施の形態１に係る火災報知設備の中継器とＡＴＦ感知器との信号伝送のアドレスとスロットの関係、及び正常と異常を表すパルスを示す図である。
【図１０】この発明の実施の形態１に係る火災報知設備の中継器の動作を示すフローチャートである。
【図１１】この発明の実施の形態１に係る火災報知設備の中継器の検出回路およびＣＰＵの動作を示すタイミングチャートである。
【符号の説明】
１０  火災受信機、２０  中継器、２１  伝送用定電圧回路、２２  受信回路、２３  送信回路、２４ａ、２４ｂ  フォトカプラ、２５  ＣＰＵ、２６  制御用定電圧回路、２７  監視回路、２８  出力回路、２９  検出回路、３０  感知器、４０  終端抵抗、Ｌ１１  伝送線、Ｌ２１  感知器回線、Ｐ１  電源線。
【図１】
2004303038.tif 000003
【図２】
2004303038.tif 000004
【図３】
2004303038.tif 000005
【図４】
2004303038.tif 000006
【図５】
2004303038.tif 000007
【図６】
2004303038.tif 000008
【図７】
2004303038.tif 000009
【図８】
2004303038.tif 000010
【図９】
2004303038.tif 000011
【図１０】
2004303038.tif 000012
【図１１】
2004303038.tif 000013